(57)【要約】【課題】機能や使い勝手を損なうことなく楽しさや美しさを有する個性的な外観形状を確保した電子機器を提供する。【解決手段】電子装置が収容される瓶形状の筐体１０に突設して設けた柱状の基体１２１と、基体１２１に回動自在に設けた筒状のつまみ１２２と、基体１２１の頂面に設けたスティック１２３と、基体１２１の表面に、つまみ１２２とスティック１２３とを収容する蓋体２０を装着するための螺子１２４とを含むユーザインタフェース３１５を有する電子機器を構成する。またこの電子機器において、螺子１２４によって蓋体２０を筐体１０に装着することにより、ユーザインタフェース３１５に対するアクセスが禁止されるようにする。【選択図】  図２
0003111689.tif 000002
【実用新案登録請求の範囲】
【請求項１】
電子装置が収容される筐体と、
前記筐体に突設して設けられる柱状の基体と、
前記基体の頂面に設けられる操作部と、
前記基体の表面に前記操作部を収容する蓋体を装着するための機構と、
を有すること
を特徴とする電子機器。
【請求項２】
請求項１に記載の電子機器であって、
前記基体と同軸に回動自在に設けられた筒状のつまみを有すること
を特徴とする電子機器。
【請求項３】
請求項１に記載の電子機器であって、
前記筐体は瓶形状を呈し、
前記基体は前記筐体の瓶口部分に設けられ、
前記蓋体は前記瓶口を塞ぐキャップの形状を呈すること
を特徴とする電子機器。
【請求項４】
請求項１に記載の電子機器であって、
前記蓋体を装着するための機構は、前記蓋体の内側面に形成されている螺旋状の溝部からなる螺子を螺合させるべく前記基体の外側面に形成された、螺旋状の溝部からなる螺子であること
を特徴とする電子機器。
【請求項５】
請求項１に記載の電子機器であって、
前記操作部は、押込み操作と所定方向に傾斜させる操作とが可能なスティックを有するスイッチであること
を特徴とする電子機器。
【請求項６】
請求項５に記載の電子機器であって、
前記基体の頂面の前記操作部の周囲には、前記スティックに対して行われる操作に応じて行われる当該電子機器の機能を表す表示が設けられていること
を特徴とする電子機器。
【請求項７】
請求項１に記載の電子機器であって、
前記電子装置は、デジタル音声ファイルを再生する携帯型装置であること
を特徴とする電子機器。
【請求項８】
請求項７に記載の電子機器であって、
前記電子装置は、
前記操作部に対して行われる操作入力を受け付ける装置と、
前記デジタル音声ファイルを記憶する装置と、
前記デジタル音声ファイルのインデックス情報を表示する装置と、
前記操作入力に応じて前記デジタル音声ファイルを再生する装置と
を含むこと
を特徴とする電子機器。
【請求項９】
請求項８に記載の電子機器であって、
前記操作部は、前記デジタル音声ファイルの再生、再生停止、再生中止、早送り、及び巻き戻し、操作メニュー画面表示、及び対象の選択のうちの少なくともいずれかについての操作入力を受け付けるためのユーザインタフェースであること
を特徴とする電子機器。
【請求項１０】
請求項８に記載の電子機器であって、
前記基体と同軸に回動自在に設けられた筒状のつまみを有し、
前記つまみは前記デジタル音声ファイルの再生音量の調整を行うための操作入力を受け付けるユーザインタフェースであること
を特徴とする電子機器。
【考案の詳細な説明】
【技術分野】
【０００１】
本考案は電子機器に関し、とくに機能を損なうことなく操作性を高めるとともに楽しさや美しさを有する個性的な外観形状を確保する技術に関する。
【背景技術】
【０００２】
昨今、ＭＰ３形式等のデジタル音声ファイルの再生や録音が可能な携帯型のデジタル音声プレーヤが人気を博している。
【考案の開示】
【考案が解決しようとする課題】
【０００３】
ところで、デジタル音声プレーヤの売れ行きは、その外観形状によって多分に影響される。このため、デジタル音声プレーヤには、機能を損なうことなく操作性を高めるとともに楽しさや美しさを有する個性的な外観形状を確保することも求められる。
【０００４】
本考案はこのような背景に鑑みてなされたもので、機能を損なうことなく操作性を高めるとともに楽しさや美しさを有する個性的な外観形状を確保した電子機器を提供することを目的とする。
【課題を解決するための手段】
【０００５】
上記目的を達成するための本考案のうちの主たる考案は、電子装置が収容される筐体と、  前記筐体に突設して設けられる柱状の基体と、前記基体の頂面に設けられる操作部と、前記基体の表面に前記操作部を収容する蓋体を装着するための機構と、を有することとする。
【考案の効果】
【０００６】
本考案によれば、機能や使い勝手を損なうことなく楽しさや美しさを有する個性的な外観形状を確保した電子機器を提供することができる。
【考案を実施するための最良の形態】
【０００７】
以下、本考案の一実施形態にかかる音声データの再生録音装置（以下、デジタル音声プレーヤ１という）につき詳細に説明する。本実施形態で説明するデジタル音声プレーヤ１は、ユーザが外出時等に携帯して持ち運ぶことが可能な小型の電子機器であって、ＭＰ３（MPEG-1 Audio Layer3）形式やＷＡＶ形式等のフォーマットで記録されたファイル（以下、デジタル音声ファイルという）の再生や録音を行う電子機器である。
【０００８】
図１Ａ乃至図１Ｈに本実施形態のデジタル音声プレーヤ１の外観を示している。図１Ａ及び図１Ｂはデジタル音声プレーヤ１を正面上方から見た斜視図である。図１Ｃ乃至図１Ｈはデジタル音声プレーヤ１の６面図である。このうち図１Ｃは正面図、図１Ｄは背面図、図１Ｅは右側面図、図１Ｆは左側面図、図１Ｇは平面図、図１Ｈは底面図である。図１Ｉはデジタル音声プレーヤ１を右側面から見た図１ＣのＡ−Ａ’線における断面図である。
【０００９】
図１Ａ又は図１Ｂに示すように、デジタル音声プレーヤ１の電子装置が収容される筐体１０は、酒瓶等の液体を収容する瓶（ボトル）を模した形状を呈している。筐体１０には酒瓶の瓶口を塞ぐキャップを模した形状からなる蓋体２０が装着される。なお、図１Ａは蓋体２０を装着した状態を示しており、図１Ｂは蓋体２０を取り外した状態を示している。
【００１０】
図１Ｃ等に示すように、筐体１０の正面中央には、デジタル音声プレーヤ１の再生／録音状態を示す情報やインデックス情報（トラック番号、曲名、歌手名、演奏時間等）、電池残量等が表示される表示パネル１３が設けられている。また図１Ｅに示すように、筐体１０の右側面には、マイクロフォンや他のオーディオ機器のライン出力が接続される音声入力端子３１９、ヘッドホンやスピーカが接続される音声出力端子３２１が設けられている。図１Ｈに示すように、筐体１０の底面には、デジタル音声プレーヤ１がパーソナルコンピュータ等の情報処理装置との間で通信する際に用いられる通信端子３２６が設けられている。なお、デジタル音声プレーヤ１と情報処理装置との間の通信は、例えばＵＳＢ（Universal Serial Bus）やＩＥＥＥ１３９４等の規格に従って行われる。
【００１１】
図２にデジタル音声プレーヤ１の瓶口部分１２及び筐体１０の肩部周辺の拡大斜視図を示している。同図に示すように、デジタル音声プレーヤ１の瓶口部分１２には、デジタル音声プレーヤ１を操作するためのユーザインタフェース３１５が設けられている。ユーザインタフェース３１５は、筐体１０の表面に突設して設けられる円柱状の基体１２１と、この基体１２１と同軸に回動自在に設けられる円筒状のつまみ１２２と、基体１２１の頂面に設けられる操作部であるスティック１２３と、を含んで構成されている。なお、図２には示していないが、つまみ１２２の外側面には、滑り止めとして機能する溝が形成されている。
【００１２】
また図２に示すように、基体１２１の付け根の部分には、螺旋状の溝部からなる螺子１２４が形成されている。蓋体２０は、この螺子１２４に蓋体２０の内側面に形成されている螺旋状の溝部からなる螺子（不図示）を螺合させることにより、デジタル音声プレーヤ１に装着されるようになっている。このように、本実施形態のデジタル音声プレーヤ１は、蓋体２０を回転させることにより蓋体２０を筐体１０に容易に脱着させることができる。また蓋体２０が筐体１０に装着された状態では、ユーザは瓶口部分１２に設けられたユーザインタフェース３１５に対する操作が物理的に禁止される（ホールドする）。このように、本実施形態のデジタル音声プレーヤ１は、瓶形状という外観形状を損なうことなくホールド機能が実現されている。これによりデジタル音声プレーヤを鞄やポケットなどに入れても誤動作を防止することができる。
【００１３】
基体１２１の頂面に設けられているスティック１２３は、前後左右に傾斜させる操作及び筐体１０側への押込み操作が可能である。スティック１２３の操作に応じて筐体１０内に設けられている電気的な接点がオンオフされる。スティック１２３を傾斜させる操作により、例えばデジタル音声ファイルの再生（ＰＬＡＹ）や再生停止と本体電源のオフ（ＳＴＯＰ）、一時停止（ＰＡＵＳＥ）、早送り（ＦＦ）、及び巻き戻し（ＲＥＷ）、デジタル音声ファイルの検索や情報処理装置との通信等を行う際に利用されるメニュー画面の表示（ＭＥＮＵ）等を行うことができる。またスティック１２３を筐体１０側へ押し込む操作により、上記操作メニュー画面に選択対象として表示される対象の一つを選択する操作（ＥＮＴＥＲ）を行うことができる。図示していないが、基体１２１内に設けられた機構によって、ユーザがスティック１２３から指を離せばスティック１２３が自然に中立位置に復帰するようになっている。
【００１４】
基体１２１の頂面の周縁は、スティック１２３を操作するユーザの指に不快感を抱かせぬよう丸みがもたされている。また基体１２１の頂面のスティック１２３の周囲には、スティック１２３の操作に応じて行われるデジタル音声プレーヤ１の機能を表す表示１２５が設けられている。
【００１５】
つまみ１２２は、螺子１２４とスティック１２３との間の部分に設けられている。つまみ１２２を操作することにより、音量調節や表示パネル１３に表示される表示内容の制御等が可能である。
【００１６】
このように、本実施形態のデジタル音声プレーヤ１にあっては、操作入力を行うためのスティック１２３やつまみ１２２等のユーザインタフェース３１５が、瓶口部分１２に集中して設けられている。このため、機能を損なうことなく操作性を高めるとともに瓶形状という楽しくて美しい個性的な外観形状が確保されている。
【００１７】
図３にデジタル音声プレーヤ１の筐体１０内に収容されている電子装置のブロック図を示している。同図に示すように、電子装置の各構成要素はバス５０を介して結合されている。構成要素のうちＣＰＵ３１１は、デジタル音声プレーヤ１が有する各種機能を実現するとともに、各種の処理についての統括的な制御を行う。メモリ３１２には、ＥＰＲＯＭ（Erasable Programmable Read Only Memory）やＥＥＰＲＯＭ（Electrically Erasable Programmable Read Only Memory）等からなるＲＯＭ（Read Only Memory）と、ＳＲＡＭ（Static Random Access Memory）やＤＲＡＭ（Dynamic Random Access Memory）等からなるＲＡＭ（Random Access Memory）とが含まれる。このうちＲＯＭには、主としてデジタル音声プレーヤ１の各種の機能を実現するプログラムやデータが記憶される。またＲＡＭには各種のデータが記憶される。なお、ＲＡＭはハードディスクドライブ３２４から読み出されるデジタル音声ファイルの一時的な格納場所としても用いられる。
【００１８】
ＣＯＤＥＣ３１３は、デジタル音声ファイルのエンコードやデコードを行う。ＣＯＤＥＣ３１３は、デジタル音声プレーヤ１の再生動作時において、デジタル音声ファイルをデコードして生成したデジタルデータをビットストリーム形式で音声出力インタフェース３２０に供給する。なお、デコードして生成されるデジタルデータは、例えばＰＣＭ（Pulse Code Modulation）形式やＡＤＰＣＭ（Adaptive Differential Pulse Coded Modulation）形式等からなるデータである。ＣＯＤＥＣ３１３は、デジタル音声プレーヤ１の録音動作時において、音声入力インタフェース３１８から転送されてくるデジタルデータを受信して、これをエンコードする。なお、エンコードされるデジタルデータは、例えばＰＣＭ形式やＡＤＰＣＭ形式のデータである。ＣＰＵ３１１は、ＣＯＤＥＣ３１３によってエンコードされたデータによってデジタル音声ファイルを生成する。
【００１９】
入力信号処理部３１４は、スティック１２３やつまみ１２２等のユーザインタフェース３１５から送られてくる操作入力信号をＣＰＵ３１１に供給する。表示制御部３１６は、ＣＰＵ３１１から送られてくる表示制御信号に応じて表示装置３１７を制御する。表示パネル１３を構成している表示装置３１７は、例えばＬＣＤ（Liquid crystal Display）や有機ＥＬディスプレイ（Electro Luminescence Display）である。
【００２０】
音声入力インタフェース３１８は、音声入力端子３１９に入力されるアナログ音声信号を増幅及びＡ／Ｄ変換してＰＣＭ形式やＡＤＰＣＭ形式のデジタルデータを生成する。音声入力端子３１９には、マイクロフォンや他のオーディオ機器のＬＩＮＥ出力が接続される。
【００２１】
音声出力インタフェース３２０は、ＣＯＤＥＣ３１３から供給されるビットストリーム形式のデジタルデータを受信して、このデジタルデータをＤ／Ａ変換及び増幅して音声出力端子３２１に出力する。ハードディスクコントローラ３２３は、ハードディスクドライブ３２４に対するデータの書き込みや読み出し等、ハードディスクドライブ３２４に関する制御を行う。ハードディスクドライブ３２４としては、例えば数Ｇバイト程度の容量を有するものが用いられる。ハードディスクドライブ３２４には、デジタル音声ファイル等のデータが記憶される。
【００２２】
通信インタフェース３２５は、通信端子３２６に接続する情報処理装置との間でＵＳＢやＩＥＥＥ１３９４等の規格に従って通信を行う。通信端子３２６には、パーソナルコンピュータ等の情報処理装置が接続される。
【００２３】
電池３２８は、例えば乾電池等の一次電池、又はＮｉＣｄ、ＮｉＨ、ＬｉＩｏｎ等の二次電池である。電源制御回路３２７は、ＤＣ／ＤＣコンバータを含み、電池３２８の電圧をデジタル音声プレーヤ１の各構成要素を駆動させるのに必要となる電圧に変換する。また電源制御回路３２７は、ＣＰＵ３１１と通信を行い、デジタル音声プレーヤ１の電子装置の各構成要素への電力供給（電源のオンオフ等）を制御する。また電源制御回路３２７は、電池３２８の電圧（以下、電池電圧という）をリアルタイムに計測し、計測した電圧値をＡ／Ｄ変換してバス５０に供給する機能も備える。
【００２４】
なお、デジタル音声プレーヤ１の電子装置の構成要素のうち割込生成回路３２９及び検出スイッチ３３０については後述する。
【００２５】
次に、以上の構成からなるデジタル音声プレーヤ１の機能について説明する。まずデジタル音声プレーヤ１によるデジタル音声ファイルの再生機能について説明する。
【００２６】
デジタル音声ファイルの再生にあたり、ユーザはスティック１２３を操作してハードディスクドライブ３２４に記憶されているインデックス情報を表示させる。なお、上記操作は、例えばスティック１２３を前後左右等の所定方向に傾斜させることにより行われる。ＣＰＵ３１１は、上記操作が行われたことを検知すると、表示装置３１７にインデックス情報を表示する。
【００２７】
次にユーザは、表示装置３１７に表示されるインデックス情報の中から、再生したい音声を選択する。この操作は、つまみ１２２を回転させることにより表示装置３１７に再生したい音声のインデックス情報を表示させた後、スティック１２３を筐体１０側に押し込むことにより行われる。
【００２８】
以上のようにして再生対象となる音声が選択されると、次にＣＰＵ３１１は、選択された音声が記録されたデジタル音声ファイルをハードディスクドライブ３２４から読み出して、読み出したデジタル音声ファイルをメモリ３１２に記憶する。なお、ＣＰＵ３１１は、ハードディスクドライブ３２４から読み出そうとするデジタル音声ファイルのデータサイズが所定の閾値を超えているかどうかを判断し、超えている場合は再生対象となるデジタル音声ファイルの全体を一度にハードディスクドライブ３２４から読み出すのではなく、複数回に分けて段階的に読み出す。
【００２９】
次にＣＰＵ３１１は、メモリ３１２に記憶されているデジタル音声ファイルのＣＯＤＥＣ３１３へのビットストリーム形式での転送を開始する。またＣＯＤＥＣ３１３は、転送されてくるデジタル音声ファイルのデコードを開始するとともに、デコードされたデジタルデータのビットストリーム形式での音声出力インタフェース３２０への供給を開始する。
【００３０】
音声出力インタフェース３２０は、ＣＯＤＥＣ３１３から供給されるデジタルデータを受信すると、受信したデジタルデータをＤ／Ａ変換及び増幅して音声出力端子３２１に出力する。ＣＰＵ３１１は、再生動作中にユーザインタフェース３１５に対して再生停止（ＳＴＯＰ）や一時停止（ＰＡＵＳＥ）等の操作が行われたり、デジタル音声ファイルの再生が終了したりした場合には、ＣＯＤＥＣ３１３から音声出力インタフェース３２０へのデジタル音声信号の転送を中止する。以上のようにしてデジタル音声プレーヤ１によるデジタル音声ファイルの再生が行われる。
【００３１】
次に、デジタル音声プレーヤ１が備える音声入力端子３１９から入力されるアナログ音声信号を録音する機能について説明する。
【００３２】
録音に際しては、まずユーザがスティック１２３を操作して録音を開始するための指示を行う。上記指示が行われると、ＣＰＵ３１１は音声入力インタフェース３１８を制御して、音声入力端子３１９から入力されるアナログ音声信号のＡ／Ｄ変換及び増幅を開始する。これにより音声入力インタフェース３１８からＣＯＤＥＣ３１３へのビットストリーム形式でのデジタルデータの供給が開始される。
【００３３】
ＣＯＤＥＣ３１３は、音声入力インタフェース３１８から転送されてくるデジタルデータを受信して、受信したデジタルデータをエンコードし、エンコードによって生成されたデータをＣＰＵ３１１に転送する。ＣＰＵ３１１は、ＣＯＤＥＣ３１３から上記データを受信して、受信したデータに基づいてデジタル音声ファイルを生成する。ＣＰＵ３１１は、ハードディスクコントローラ３２３を制御して、生成した上記デジタル音声ファイルをハードディスクドライブ３２４に記憶する。
【００３４】
次に通信端子３２６にパーソナルコンピュータ等のコンピュータを接続して行われるデータ通信機能について説明する。ハードディスクドライブ３２４に記憶されているデジタル音声ファイルは、パーソナルコンピュータ等の情報処理装置において動作するソフトウエア（以下、管理ソフトウエアという）によって管理することが可能である。管理ソフトウエアは、情報処理装置に記憶されているデジタル音声ファイルをデジタル音声プレーヤ１に転送する機能、デジタル音声プレーヤ１に記憶されているデジタル音声ファイルを削除する機能等を提供する。通信端子３２６を介して行われるデータ通信機能は、このようにデジタル音声プレーヤ１と、管理ソフトウエアが動作する情報処理装置との間で行われるデータ通信に用いられる。上記データ通信は次のようにして行われる。まずユーザがユーザインタフェース３１５に対して情報処理装置との間での通信を開始するための所定の操作を行う。この操作は、例えばスティック１２３を所定の方向に傾斜させてメニュー画面を表示させ、つまみ１２２を回してデータ通信モードを表示させてスティック１２３を筐体１０側に押し込むことにより行われる。ＣＰＵ３１１は上記操作が行われたことを検知すると、通信インタフェース３２５を制御して情報処理装置との間で通信リンクを確立し、データ通信を開始する。以上により管理ソフトウエアがデジタル音声プレーヤ１のデジタル音声ファイルにアクセス可能な状態となる。
【００３５】
ところで、デジタル音声プレーヤ１の本体電源は、例えばユーザがスティック１２３に対して何らかの操作を行うことによりオンオフされる。すなわち、スティック１２３に対してユーザが何らかの操作を行うと、スティック１２３に付随して設けられている電気的な接点がオンオフされ、これより生じた電位差の変化が電源制御回路３２７によって検知されて本体電源がオンオフされる。またデジタル音声プレーヤ１の本体電源は、再生も録音も行われず、かつ、所定時間以上ユーザインタフェース３１５に対して何も操作がされないという条件（以下、電源オフ条件という）が成立した場合には自動的にオフされる。図４は、デジタル音声プレーヤ１の本体電源がオフされる場合にデジタル音声プレーヤ１によって行われる処理を説明するフローチャートである。ＣＰＵ３１１は、電源オフ条件が成立したかどうかをリアルタイムに監視している（Ｓ４１１）。ＣＰＵ３１１は、上記電源オフ条件が成立すると（Ｓ４１１：ＹＥＳ）、ハードディスクコントローラ３２３にヘッドを退避する処理（以下、アンロード処理という）を行う旨を指示する命令（以下、アンロード命令という）を送信する（Ｓ４１２）。ハードディスクコントローラ３２３は、アンロード命令を受信すると（Ｓ４１３）、アンロード処理を行う（Ｓ４１４）。ハードディスクコントローラ３２３は、アンロード処理が終了すると、アンロード処理の終了報告をＣＰＵ３１１に送信する（Ｓ４１５）。
【００３６】
ＣＰＵ３１１は、ハードディスクコントローラ３２３から上記終了報告を受信すると（Ｓ４１６）、電源制御回路３２７に本体電源をオフする旨を指示する命令（以下、電源オフ命令という）を送信する（Ｓ４１７）。電源制御回路３２７は、上記電源オフ命令を受信すると、デジタル音声プレーヤ１の本体電源をオフする（Ｓ４１８）。
【００３７】
ところで、デジタル音声プレーヤ１の本体電源は、以上の仕組みによってオフされるほか、ユーザによる電池交換等に際し、筐体１０の一部を構成している本体ケース１０２がデジタル音声プレーヤ１の本体１０１から取り外された場合においても自動的にオフされる。以下ではこの仕組みについて詳述する。
【００３８】
図５に本体ケース１０２が取り外された状態におけるデジタル音声プレーヤ１の本体１０１と、取り外された本体ケース１０２とを示している。同図に示すように、本体ケース１０２は、デジタル音声プレーヤ１の本体１０１を覆う（本体１０１の肩部を除く）形状を呈している。なお、本体ケース１０２の表示パネル１３が位置する部分には、アクリル樹脂等の材質からなる透明の窓１０２１が設けられている。本体ケース１０２の音声入力端子３１９及び音声出力端子３２１が位置する部分には、本体ケース１０２が本体１０１に装着された状態で音声入力端子３１９及び音声出力端子３２１を外部に露出させるための切欠部１０２２が設けられている。
【００３９】
デジタル音声プレーヤ１の本体１０１には、デジタル音声プレーヤ１に駆動電力を供給する電池３２８を収容するための電池収容部１０１１が設けられている。本体１０１の音声入力端子３１９、及び音声出力端子３２１が位置する部分の近傍には、本体ケース１０２が取り外されたことを検出するスイッチ（以下、検出スイッチ３３０という）が設けられている。
【００４０】
検出スイッチ３３０は、本体ケース１０２が本体に脱着される際に本体ケース１０２に接触し、本体ケース１０２が本体１０１に脱着されることにより可動する可動部３３０１を有している。また検出スイッチ３３０の内部には、可動部３３０１の動きに応じて、本体ケース１０２が本体１０１に装着された状態ではオフとなり、本体ケース１０２が本体１０１から取り外された状態ではオンするように作動する電気的な接点が設けられている。
【００４１】
本体ケース１０２が本体１０１に装着された状態では、可動部３３０１は本体ケース１０２に接触し、可動部３３０１は本体ケース１０２に押圧されることにより本体１０１側に傾斜して本体１０１側に収容される。一方、本体ケース１０２が本体１０１からスライド式に引き抜かれて取り外されてしまうと、検出スイッチ３３０に設けられている弾性機構の作用によって可動部３３０１は本体１０１から突出した状態になる。このような可動機構によって、検出スイッチ３３０は、本体ケース１０２が本体１０１から脱着される際に自動的にオンオフされることになる。
【００４２】
本体ケース１０２が本体１０１から取り外されて検出スイッチ３３０がオンされると、その旨を示す信号が割込生成回路３２９に入力される。割込生成回路３２９は、上記信号が入力されるとＣＰＵ３１１に割込信号を送信する。このようにして本体ケース１０２が本体１０１から取り外されたことがＣＰＵ３１１に通知される。
【００４３】
図６は本体ケース１０２が本体１０１から取り外された場合にデジタル音声プレーヤ１によって行われる処理を説明するフローチャートである。
【００４４】
本体ケース１０２が本体１０１から取り外されることにより検出スイッチ３３０がオンすると（Ｓ６１１）、割込生成回路３２９からＣＰＵ３１１に割込信号が送信される（Ｓ６１２）。ＣＰＵ３１１は、上記割込信号を受信すると（Ｓ６１３）、ハードディスクコントローラ３２３がアンロード処理を行う（Ｓ６１４〜Ｓ６１７）。
【００４５】
次にＣＰＵ３１１は、ハードディスクコントローラ３２３から上記アンロード処理の終了報告を受信すると（Ｓ６１８）、電源制御回路３２７に電源オフ命令を送信する（Ｓ６１９）。電源制御回路３２７は、電源オフ命令を受信すると本体電源をオフする（Ｓ６２０）。
【００４６】
このように、デジタル音声プレーヤ１は、電池交換等に際し筐体１０の一部を構成している本体ケース１０２がデジタル音声プレーヤ１の本体１０１から取り外された場合にそのことを自動的に検出し、ハードディスクドライブ３２４を安全に停止させるために必要な事前処理であるアンロード処理を行った後に本体電源をオフする。このため、本実施形態のデジタル音声プレーヤ１にあっては、ユーザが動作状態のまま電池を取り外そうとして本体ケース１０２を本体１０１から引き出しても、必ず事前処理が行われることとなり、電源をオフした後に電池交換等を行うことができる。また検出スイッチ３３０は、本体ケース１０２が本体１０１に装着された状態では外観に露出しないため、検出スイッチ３３０によってデジタル音声プレーヤ１の外観が損なわれることも無い。このように、本実施形態のデジタル音声プレーヤ１にあっては、機能を損なうことなく操作性を高めるとともに瓶形状という楽しくて美しい個性的な外観形状も確保されている。
【００４７】
以上、本考案の一実施形態につき詳細に説明したが、以上の実施形態の説明は本考案の理解を容易にするためのものであり、本考案を限定するものではない。本考案はその趣旨を逸脱することなく、変更、改良され得ると共に本考案にはその等価物が含まれることは勿論である。例えば、デジタル音声ファイルを記憶するための記憶メディアは、フラッシュメモリなどのハードディスクドライブ３２４以外のものであってもよい。また消費電力の低減と機構の簡素化の観点からは、上述した可動部３３０１が検出スイッチとして好適ではあるが、検出スイッチの構成はこれに限られるわけではなく、光センサやその他のセンサを用いて検出スイッチを構成することもできる。
【図面の簡単な説明】
【００４８】
【図１Ａ】本考案の一実施形態によるデジタル音声プレーヤ１を正面上方から見た斜視図である。
【図１Ｂ】本考案の一実施形態によるデジタル音声プレーヤ１を正面上方から見た斜視図である。
【図１Ｃ】本考案の一実施形態によるデジタル音声プレーヤ１の正面図である。
【図１Ｄ】本考案の一実施形態によるデジタル音声プレーヤ１の背面図である。
【図１Ｅ】本考案の一実施形態によるデジタル音声プレーヤ１の右側面図である。
【図１Ｆ】本考案の一実施形態によるデジタル音声プレーヤ１の左側面図である。
【図１Ｇ】本考案の一実施形態によるデジタル音声プレーヤ１の平面図である。
【図１Ｈ】本考案の一実施形態によるデジタル音声プレーヤ１の底面図である。
【図１Ｉ】本考案の一実施形態によるデジタル音声プレーヤ１の図１ＣにおけるＡ−Ａ’線における底面図である。
【図２】本考案の一実施形態によるデジタル音声プレーヤ１の瓶口部分１２及び筐体１０の肩部周辺の拡大斜視図である。
【図３】本考案の一実施形態によるデジタル音声プレーヤ１の筐体１０内に収容されている電子装置のブロック図である。
【図４】本考案の一実施形態によるデジタル音声プレーヤ１の電源がオフされる場合にデジタル音声プレーヤ１によって行われる処理を説明するフローチャートである。
【図５】本考案の一実施形態による本体ケース１０２が取り外された状態におけるデジタル音声プレーヤ１の本体１０１、及び取り外された本体ケース１０２を示す図である。
【図６】本考案の一実施形態による本体ケース１０２が本体１０１から取り外された場合にデジタル音声プレーヤ１によって行われる処理を説明するフローチャートである。
【符号の説明】
【００４９】
１  デジタル音声プレーヤ
１０  筐体
１２  瓶口部分
１３  表示パネル
２０  蓋体
１２１  基体
１２２  つまみ
１２３  スティック
１２４  螺子
３１５  ユーザインタフェース
３１９  音声入力端子
３２１  音声出力端子
【図１Ａ】
0003111689.tif 000003
【図１Ｂ】
0003111689.tif 000004
【図１Ｃ】
0003111689.tif 000005
【図１Ｄ】
0003111689.tif 000006
【図１Ｅ】
0003111689.tif 000007
【図１Ｆ】
0003111689.tif 000008
【図１Ｇ】
0003111689.tif 000009
【図１Ｈ】
0003111689.tif 000010
【図１Ｉ】
0003111689.tif 000011
【図２】
0003111689.tif 000012
【図３】
0003111689.tif 000013
【図４】
0003111689.tif 000014
【図５】
0003111689.tif 000015
【図６】
0003111689.tif 000016